(57)【要約】  【課題】  機密文書を出力する際に複写を制限するための画像を付加することができる画像形成装置の提供。  【解決手段】  情報処理装置から送信されたプリントデータを受信した場合、受信したプリントデータを展開して機密文書であるか否かを判断する（Ｓ２０）。機密文書であると判断した場合（Ｓ２０：ＹＥＳ）、給紙を開始し（Ｓ２１）、印字処理を実行する（Ｓ２２）。そして、特定情報を付加する頁であるか否かを判断し（Ｓ２３）、特定情報を付加する頁であると判断した場合（Ｓ２３：ＹＥＳ）、シートの裏面に特定情報を付加する（Ｓ２４）。【選択図】        図６
2006025254.tif 000002
【特許請求の範囲】
【請求項１】
画像データを受付け、受付けた画像データに基づいてシート上に画像形成を行う画像形成装置において、
所定の画像データを記憶する記憶手段と、受付けた画像データに機密性が有るか否かを判断する判断手段と、前記画像データに機密性が有ると判断した場合、前記画像データに基づくシートの表面への画像形成、及び前記記憶手段に記憶された画像データに基づく前記シートの裏面への画像形成を行う手段とを備えることを特徴とする画像形成装置。
【請求項２】
受付けた画像データに所定の画像が含まれているか否かを検出する手段を備え、該手段が前記画像を検出した場合、前記判断手段は、前記画像データに機密性が有ると判断するようにしてあることを特徴とする請求項１に記載の画像形成装置。
【請求項３】
画像データを受付ける際に利用者を識別する識別情報を受付ける手段と、該手段にて受付けた識別情報に基づいて利用者の認証を行う認証手段とを備え、前記判断手段は、前記認証手段による認証結果に基づいて前記画像データに機密性が有るか否かを判断するようにしてあることを特徴とする請求項１に記載の画像形成装置。
【請求項４】
前記判断手段が受付けた画像データに機密性が有ると判断した場合、前記画像データに基づくシートの裏面への画像形成を停止する手段を備えることを特徴とする請求項１乃至請求項３の何れか１つに記載の画像形成装置。
【請求項５】
前記記憶手段に記憶された画像データに基づく画像は、前記シートの表面に形成された画像の複製を禁止する旨の情報を含むことを特徴とする請求項１乃至請求項４の何れか１つに記載の画像形成装置。
【請求項６】
前記記憶手段に記憶された画像データに基づく画像は、前記シートの表面に形成された画像の複製の可否に係る情報を含むことを特徴とする請求項１乃至請求項４の何れか１つに記載の画像形成装置。
【請求項７】
前記記憶手段に記憶された画像データに基づく画像は、利用者の認証を要求する旨の情報を含むことを特徴とする請求項１乃至請求項４の何れか１つに記載の画像形成装置。
【発明の詳細な説明】
【技術分野】
【０００１】
本発明は、機密性を有する文書を出力する際に複写を制限する旨の情報を含んだ画像を付加する画像形成装置に関する。
【背景技術】
【０００２】
従来、パーソナルコンピュータのような情報処理装置からプリンタ装置、複合機等の画像形成装置を制御するプリンタドライバの機能として、印刷する各ページ又は任意のページに特定の文字列やマークを写し込む機能（以下、ウォータマーク機能）を有するものが数多く製品化されている。このウォータマーク機能は、利用者が印刷する文書等に「極秘」、「重要」、「回覧」、「至急」、「コピー厳禁」等の文字パターンを写し込むことにより、印刷される文書の取り扱いについて注意を喚起する目的で使用されている（例えば、特許文献１参照）。
【０００３】
このように、出力する文書にウォータマークを付加することによって、利用者に対し文書の取り扱いについて注意を喚起することができるものの、利用者の不注意等により複製物が作成される場合、及び悪意のある第三者により不正に複製物が作成される場合があり、情報が漏洩する虞があるという問題点を有している。
【０００４】
そこで、従来では、バーコードのような特定の画像を原稿に付加しておき、原稿を複写する際に前記バーコードを光学的に検出した場合、極秘文書であると判断して複写動作を停止させる複写機が提案されている（例えば、特許文献２，３参照）。同様に、特定のパターンを原稿に追加しておき、原稿を複写する際に前記パターンを光学的に検出した場合、極秘文書であると判断して複写動作を停止させる複写機が提案されている（例えば、特許文献４参照）。また、赤外光反射、赤外光吸収、紫外線吸収等の所定の光学的特性を有するインク、又は所定の磁気特性を有するインクを用いて画像の一部又は全部を形成し、原稿の読取時に光学的手法、又は磁気的手法を用いて前記インクを検出した場合、複写動作を停止させる複写機が提案されている（例えば、特許文献５〜９参照）。
【特許文献１】特開２００２−７７６００号公報
【特許文献２】特開昭５４−３２３２２号公報
【特許文献３】特開昭６３−１６３８６６号公報
【特許文献４】特開平７−３８７４７号公報
【特許文献５】特開昭５８−２２４３６２号公報
【特許文献６】特開昭５９−９６８１号公報
【特許文献７】特開昭６０−８８８０号公報
【特許文献８】特開昭６０−８８７８号公報
【特許文献９】特開昭５６−１２６８４４号公報
【発明の開示】
【発明が解決しようとする課題】
【０００５】
しかしながら、前述したように極秘文書であることを示すために原稿の表面にバーコードや特定のパターンを付加する構成である場合、意味のない情報が原稿の画像に加えられることとなるため、必ずしも利用者の意図した画像にならない場合があり、利用者に不満を与えることがある。また、作成する文書の内容によっては付加することができない場合が生じるという問題点を有している。
【０００６】
また、原稿の表面にバーコードや特定パターンを付加する構成であるため、付加したバーコードや特定パターンの持つ技術的な意味合いが第三者に知られる可能性が高くなり、修正液等を用いてバーコードや特定パターンを消去することによって複写を制限する機能を回避し得るという問題点を有している。したがって、原稿の複写が不正に行われることがあり、複写制限の目的で原稿の表面に画像を付加した場合であっても情報の漏洩が起こり得るという問題点を有している。
【０００７】
また、光学的又は磁気的に特徴を持つインクを用いる場合、そのインクで形成された画像を検出するために原稿の読取手段とは別の検出手段が必要となり、装置全体のコストを押し上げることになるという問題点を有している。また、特殊なインクを用いているため、インクの入手が容易でないという装置管理の面での問題点を有しており、更にインクの維持費が向上するという問題点を有している。
【０００８】
本発明は斯かる事情に鑑みてなされたものであり、受付けた画像データに機密性が有ると判断した場合、シートの表面には前記画像データに基づく画像形成を行い、シートの裏面には予め定めた画像データに基づく画像形成を行う構成とすることにより、原稿の画像を変更することなく複写制限等の情報を付加した印刷物を安価に作成することができる画像形成装置を提供することを目的とする。
【課題を解決するための手段】
【０００９】
本発明に係る画像形成装置は、画像データを受付け、受付けた画像データに基づいてシート上に画像形成を行う画像形成装置において、所定の画像データを記憶する記憶手段と、受付けた画像データに機密性が有るか否かを判断する判断手段と、前記画像データに機密性が有ると判断した場合、前記画像データに基づくシートの表面への画像形成、及び前記記憶手段に記憶された画像データに基づく前記シートの裏面への画像形成を行う手段とを備えることを特徴とする。
【００１０】
本発明にあっては、受付けた画像データに機密性が有ると判断した場合、シートの表面には前記画像データに基づく画像形成を行い、シートの裏面には予め定めた画像データに基づく画像形成を行うようにしているため、特定の情報を含めた画像がシートの裏面に付されることとなり、その画像によって複写制限を実施するような制御が可能となる。また、シートの裏面に付加しているため、利用者自身が作成した画像に変更を加えずに済み、また、付加した画像の技術的な意味合いを第三者が知得する機会が減少し、情報漏洩の防止効果が高まる。
【００１１】
本発明に係る画像形成装置は、受付けた画像データに所定の画像が含まれているか否かを検出する手段を備え、該手段が前記画像を検出した場合、前記判断手段は、前記画像データに機密性が有ると判断するようにしてあることを特徴とする。
【００１２】
本発明にあっては、受付けた画像データに所定の画像が含まれている場合には、出力する印刷物に機密性があると判断し、シートの裏面に所定の画像を付加するようにしているため、極秘、社外秘、コピー厳禁等のマークや文字列を検出した場合には、例えば、複写制限を実施するための画像がシートの裏面に自動的に付加されることとなるため、利用者自身がプリントドライバ等を利用して機密処理を設定しない場合であっても機密性の向上が図られる。
【００１３】
本発明に係る画像形成装置は、画像データを受付ける際に利用者を識別する識別情報を受付ける手段と、該手段にて受付けた識別情報に基づいて利用者の認証を行う認証手段とを備え、前記判断手段は、前記認証手段による認証結果に基づいて前記画像データに機密性が有るか否かを判断するようにしてあることを特徴とする。
【００１４】
本発明にあっては、画像データを受付ける際に利用者を識別する識別情報を受付け、受付けた識別情報に基づいて利用者の認証を行い、その認証結果に基づいて出力する印刷物に機密性が有るか否かを判断するようにしているため、機密文書を取り扱う利用者から受付けた画像データについては複写制限を実施するための画像をシートの裏面に付加するように設定することができ、利用者自身がプリントドライバ等により機密処理を設定しない場合であっても機密性の向上が図られる。
【００１５】
本発明に係る画像形成装置は、前記判断手段が受付けた画像データに機密性が有ると判断した場合、前記画像データに基づくシートの裏面への画像形成を停止する手段を備えることを特徴とする。
【００１６】
本発明にあっては、受付けた画像データに機密性が有ると判断した場合、前記画像データに基づくシートの裏面への画像形成を停止するようにしているため、複写制限を実施するための画像用にスペースが確保される。
【００１７】
本発明に係る画像形成装置は、前記記憶手段に記憶された画像データに基づく画像は、前記シートの表面に形成された画像の複製を禁止する旨の情報を含むことを特徴とする。
【００１８】
本発明にあっては、シートの裏面に付加される画像は、シート表面に形成された画像の複製を禁止する旨の情報が含まれるため、作成した印刷物を読み取ったときにシート裏面に付加された情報を検出した場合、複写を禁止するような制御が可能となり、情報漏洩の防止効果を高めた印刷物が作成される。
【００１９】
本発明に係る画像形成装置は、前記記憶手段に記憶された画像データに基づく画像は、前記シートの表面に形成された画像の複製の可否に係る情報を含むことを特徴とする。
【００２０】
本発明にあっては、シートの裏面に付加される画像は、シート表面に形成された画像の複製の可否に係る情報が含まれるため、作成した印刷物を読み取ったときにシート裏面に付加された情報を検出した場合、又は前記情報を検出しなかった場合に複写を制限するような制御が可能となり、情報漏洩の防止効果を高めた印刷物が作成される。
【００２１】
本発明に係る画像形成装置は、前記記憶手段に記憶された画像データに基づく画像は、利用者の認証を要求する旨の情報を含むことを特徴とする。
【００２２】
本発明にあっては、シートの裏面に付加される画像は、利用者の認証を要求する旨の情報を含むため、登録外の第三者の使用を制限するような制御が可能となり、情報漏洩の防止効果を高めた印刷物が作成される。
【発明の効果】
【００２３】
本発明による場合は、受付けた画像データに機密性が有ると判断した場合、シートの表面には前記画像データに基づく画像形成を行い、シートの裏面には予め定めた画像データに基づく画像形成を行うようにしている。したがって、特定の情報を含めた画像がシートの裏面に付されることとなり、その画像によって複写制限を実施することができる。また、シートの裏面に付加しているため、利用者自身が作成した画像に変更を加えずに済み、また、付加した画像により複写制限を実施していることを第三者が知得する機会が減少するため、情報漏洩の防止効果を高めることができる。
【００２４】
本発明による場合は、受付けた画像データに所定の画像が含まれている場合には、出力する印刷物に機密性があると判断し、シートの裏面に所定の画像を付加するようにしている。したがって、極秘、社外秘、コピー厳禁等のマークや文字列を検出した場合には自動的に複写制限を実施するための画像がシートの裏面に付加されることとなり、利用者がプリントドライバ等を利用して機密処理を設定しない場合であっても機密性の向上を図ることができる。
【００２５】
また、本発明による場合は、画像データを受付ける際に利用者を識別する識別情報を受付け、受付けた識別情報に基づいて利用者の認証を行い、その認証結果に基づいて出力する印刷物に機密性が有るか否かを判断するようにしている。したがって、機密文書を取り扱う利用者から受付けた画像データについては複写制限を実施するための画像をシートの裏面に付加するように設定することができ、利用者自身がプリントドライバ等を利用して機密処理を設定しない場合であっても機密性の向上を図ることができる。
【００２６】
更に本発明による場合は、受付けた画像データに機密性が有ると判断した場合、前記画像データに基づくシートの裏面への画像形成を停止するようにしている。したがって、複写制限を実施するための画像用にシートの裏面にスペースを確保することができる。
【００２７】
更に本発明による場合は、シートの裏面に付加される画像は、シート表面に形成された画像の複製を禁止する旨の情報が含まれる。したがって、作成した印刷物を読み取ったときにシート裏面に付加された情報を検出した場合、複写を禁止するような制御を実施することが可能となり、不正な複写による情報の漏洩を防止することができる。
【００２８】
更に本発明による場合は、シートの裏面に付加される画像は、シート表面に形成された画像の複製の可否に係る情報が含まれる。したがって、作成した印刷物を読み取ったときにシート裏面に付加された情報を検出した場合、又は検出されなかった場合に複写を制限するような制御を実施することができ、不正な複写による情報の漏洩を防止することができる。
【００２９】
更に本発明による場合は、シートの裏面に付加される画像は、利用者の認証を要求する旨の情報を含む。したがって、作成した印刷物を読み取ったときに前記画像を検出した場合、利用者認証を実施させることができ、登録外の第三者の使用を制限するような制御を行うことによって情報漏洩の防止を図ることができる。
【発明を実施するための最良の形態】
【００３０】
以下、本発明をその実施の形態を示す図面に基づいて具体的に説明する。
実施の形態１．
図１は本実施の形態に係る画像形成システムの構成を説明するブロック図である。図中１００は、原稿の画像を読み取るスキャナ機能、読み取った画像に基づいてコピー用紙、ＯＨＰフィルム等のシート（以下、単に用紙と称する）上に画像を形成するコピー機能、外部から送信されたプリントデータを受信して用紙上に画像を形成するプリント機能、入力された画像データを一時的に保存するファイリング機能、画像データを外部へ送信するイメージ送信機能等を有する複合機である。複合機１００には、ローカルエリアネットワークＬＮを介してパーソナルコンピュータのような情報処理装置２００，２００が接続されており、インターネット網ＩＮを介して情報処理装置３００が接続されている。また、公衆電話回線網ＰＮを介して外部のファクシミリ装置４００が接続されている。
【００３１】
情報処理装置２００には、文書、グラフィックス等を作成するためのアプリケーションプログラム、及びローカルエリアネットワークＬＮを介して複合機１００を利用するためのドライバプログラム（プリンタドライバ）が予めインストールされており、任意のアプリケーションプログラムからプリンタドライバを呼び出し、当該プリンタドライバにより作成されたプリントデータを複合機１００へ送信することにより、文書、グラフィックス等をプリント出力する構成となっている。
【００３２】
ファクシミリ装置４００は、画像データを所定の方式により符号化及び復号化する機能を有しており、符号化して得られたファクシミリデータを公衆電話回線網ＰＮを介して送受信できるようにしている。
【００３３】
複合機１００は、情報処理装置２００，２００から送信されたプリントデータやファクシミリ装置４００から送信されたファクシミリデータを受信した場合、それらのデータに基づいて用紙上に画像形成を行う。このとき、受信したプリントデータ又はファクシミリデータが機密を要するものである場合、用紙の表面には受信したプリントデータ又はファクシミリデータに基づいて画像形成を行い、用紙の裏面には複合機１００が予め用意した画像データ（以下、特定情報という）に基づいて画像形成を行うように構成されている。
【００３４】
以下、複合機１００の制御系の構成について説明する。
複合機１００は、各種の演算処理を実行するＣＰＵ、制御プログラムを格納しているＲＯＭ、ＣＰＵの演算中に生成されるデータを一時的に保持するＲＡＭ等により構成される制御部１０１を備えている。制御部１０１のＣＰＵは、前記制御プログラムをＲＡＭにロードして実行することにより原稿読取部１０、画像形成部２０等の動作を制御し、装置全体を本発明に係る画像形成装置として機能させる。
【００３５】
管理部１０２は、複合機１００の動作中に必要となる各種のデータを記憶する不揮発性の半導体メモリである。管理部１０２が記憶するデータとしては、利用者認証を行うためのデータ、前述した特定情報を検出する際に必要なデータ等が挙げられる。
【００３６】
通信ＩＦ１０６は、ローカルエリアネットワークＬＮの通信規格に準拠した回線終端回路を備えており、ローカルエリアネットワークＬＮに接続された情報処理装置２００，２００からのプリントデータを受信すると共に、情報処理装置２００，２００へ通知すべき情報を送信する。通信ＩＦ１０６では、このような各種データの送受信の制御を行う。
【００３７】
ファクシミリモデム１０７は、公衆電話回線網ＰＮへ接続するための回線終端回路を備えており、公衆電話回線網ＰＮを介してファクシミリデータの送受信を行う。そのため、ファクシミリモデム１０７は、受信したファクシミリデータを復号化するための復号化回路を備えており、復号化して得られる画像データを画像形成部２０へ転送して印刷処理を実行させる。また、ファクシミリモデム１０７は、送信すべきファクシミリデータを符号化するための符号化回路を備えており、該符号化回路にて符号化したファクシミリデータを目的のファクシミリ装置４００へ送信する。ファクシミリモデム１０７は、このようなファクシミリデータの送受信、及びファクシミリデータの符号化処理・復号化処理を実行する。
【００３８】
原稿読取部１０は、操作パネル１０３、ＡＤＦ１０４、光学式読取ユニット１０５等により構成される。操作パネル１０３は、利用者による操作指示を受付ける操作部と利用者に対して通知すべき情報を表示する表示部とからなる。操作部は、利用者による操作指示を受付けるための各種操作キーを備えており、機能の切替操作、各機能における設定値の入力、処理の実行開始指示等を受付ける。表示部は、液晶ディスプレイを備えており、複合機１００の動作状況、操作部を通じて入力された各種の設定値、利用者に対して通知すべき情報等を表示する。また、表示部の一部には各種の選択操作を受付けるように構成したタッチパネル方式のソフトウェアボタンが配置される。
【００３９】
ＡＤＦ（Automatic Document Feeder）１０４は、原稿トレイ１１ａ、呼込ローラ１３ａ等を備えており（図２参照）、原稿トレイ１１ａにフェイスダウンの状態で積層された原稿を呼込ローラ１３ａにより１枚ずつ取り込む構成となっている。
【００４０】
光学式読取ユニット１０５は、ＣＩＳ（Contact Image Sensor）１４、光源ユニット１５、ミラーユニット１７、結像レンズ１８、ＣＣＤラインセンサ１９等を備えており（図２参照）、ＡＤＦ１０４によって取り込んだ原稿の表面に光源ユニット１５が読取用の光を照射し、原稿からの光像をミラーユニット１７及び結像レンズ１８を用いてＣＣＤラインセンサ１９に結像させ、原稿表面に記録された画像を読取るように構成されている。また、原稿裏面に記録された画像についてはＣＩＳ１４が同時的に読取るように構成されている。
【００４１】
画像形成部２０は、画像メモリ１０８、暗号・復号部１０９、検出部１１２、印字部１１３、特定情報付与部１１４等により構成されている。画像メモリ１０８は、原稿読取部１０にて取得した画像データ、通信ＩＦ１０６にて受信したプリントデータから展開される画像データ等を一時的に記憶するためのページメモリであり、該画像メモリ１０８に記憶された画像データは、制御部１０１からの指示により目的に応じた転送先へ転送される。すなわち、ファイリング機能により画像データを保存する場合には、暗号・復号部１０９及びＨＤＤインタフェース１１０を介してＨＤＤ１１１に転送され、印字処理を行う場合には、印字部１１３へ転送される。
【００４２】
暗号・復号部１０９は、ＨＤＤ１１１に保存させるべき画像データを暗号化し、ＨＤＤ１１１から読み出した画像データを復号化するために、暗号化回路及び復号化回路を備えている。そのため、暗号化回路は、暗号化すべきデータを入力する入力用バッファ、入力用バッファに設定されたデータに対して所定の暗号化アルゴリズムからなる演算処理を施す演算器、演算器による演算結果を保持する出力用バッファ等により構成される。暗号化すべきデータは入力用バッファに入力され、入力用バッファに設定された入力データを取り出して演算器が演算処理を行い、演算処理が完了した段階でその演算結果を出力用バッファに書き込む。演算が完了したデータを出力用バッファから取り出すことによって、暗号・復号部１０９によって暗号化されたデータを取得する。復号化回路も同様であり、入力されたデータに対して演算器が演算処理を施し、データの復号化を行う。
【００４３】
暗号・復号部１０９には、ＨＤＤインタフェース１１０を介してディスク状の磁気記録媒体を有するＨＤＤ１１１が接続されている。ＨＤＤインタフェース１１０は、ＨＤＤ１１１のインタフェース規格に準拠したコマンドを発行し、そのコマンドを実行することにより、保存させるべきデータの書込処理、保存されたデータの読出処理、及び不要となったデータの消去処理を実行する。ＨＤＤ１１１の記憶領域の一部は、画像データ等を記憶するためのデータエリアとして利用されている。操作パネル１０３を通じて要求を受付けた場合、又は情報処理装置２００からの要求を通信ＩＦ１０６を介して受信した場合、前記データエリアに記憶された画像データを読出すようにしている。そのため、プリント処理の失敗又は出力部数の不足等のためにプリント処理を再度実行する必要がある場合には、データエリアに記憶された画像データを任意に読出してプリント処理を実行させることができる。
【００４４】
検出部１１２は、画像メモリ１０８に一時的に保持された画像データに所定の文字列、又は画像が含まれているか否かを検出するための画像処理回路である。すなわち、本実施の形態では、受信したプリントデータが機密性を有するものであるか否かを検出するために、文字認識又はパターンマッチングを行って、所定の文字列又は画像が含まれているか否かを検出するように構成されている。
【００４５】
印字部１１３は、感光体ドラム２３を所定の電位に帯電させる帯電器２５、外部から受付けた画像データに応じてレーザ光を発して感光体ドラム２３上に静電潜像を生成させるレーザ書込装置２１、感光体ドラム２３表面に形成された静電潜像にトナーを供給して顕像化する現像器２２、感光体ドラム２３表面に形成されたトナー像を用紙上に転写する転写器２６等（図２参照）を備えており、電子写真方式にて利用者が所望する画像を用紙上に形成する。
【００４６】
特定情報付与部１１４は、用紙の裏面に特定情報を付加するために、特定の画像のデータとその画像形成位置とを記憶しており、前述の検出部１１２において所定の文字列又は画像を検出し、プリントデータが機密性を有するものであると判断した場合、前記画像形成位置に印字させるようにで前記データを出力するように構成されている。
【００４７】
図２は複合機１００の内部構成を示す断面図である。複合機１００の最上段には原稿読取部１０が設けられており、その下側に画像形成部２０及び給紙部５０が並設され、更にそれらの下側に給紙部５０が配置されている。
【００４８】
原稿読取部１０に搭載されているＡＤＦ１０４は、読取り用の原稿をフェイスダウンの状態で積層するための原稿トレイ１１ａ、載置された原稿の幅方向の位置を規制する原稿規制板１２ａ、原稿トレイ１１ａ上の原稿の有無を検知する原稿検知センサ１２ｂ，１２ｃ、原稿トレイ１１ａに積層された原稿を最下層から１枚ずつ取り込むための呼込ローラ１３ａ、呼込ローラ１３ａにより取り込んだ原稿を所定の読取り位置まで搬送する搬送ローラ１３ｂ，１３ｃ、画像を読取った後に原稿を排紙トレイ１６へ排出する排紙ローラ１３ｄにより構成されている。ＡＤＦ１０４は、操作パネル１０３を利用した利用者の指示をトリガーにして取り込みを開始し、原稿トレイ１１ａに積層された原稿を１枚ずつ取り込んで順次的に原稿の表面及び裏面に記録された画像を読み取るように構成されている。
【００４９】
原稿読取部１０に搭載されている光学式読取ユニット１０５は、原稿の裏面に記録された画像を読み取るためのＣＩＳ１４と、原稿の表面に記録された画像を読み取るために光源ユニット１５、ミラーユニット１７、結像レンズ１８、及びＣＣＤラインセンサ１９等を備えている。
【００５０】
ＣＩＳ１４は、例えば、アレイ状に配列されたイメージセンサ及び導光手段（セルフォックスレンズ等のレンズアレイ）、並びに光源（ＬＥＤアレイ光源又は蛍光灯）等を備えており、適宜の読取位置に設置されている。
【００５１】
光源ユニット１５は、露光ランプから照射される読取用の照明光を凹面のリフレクタにより原稿台１１ｂの適宜の読取り位置に集光させ、原稿台１１ｂの面に対して反射面を４５°に設置したミラーによって原稿からの反射光の光路を９０°変更し、ミラーユニット１７へと導くように構成されている。ミラーユニット１７は、光源ユニット１５のミラーによって光路を９０°変更された光の光路を更に１８０°変更するために、反射面が相互に直交するように配置された一対のミラーを備えている。ＡＤＦ１０４から供給される原稿を読取る場合には、光源ユニット１５は所定の読取り位置（ＣＩＳ１４の対面位置）に保持された状態で画像を読み取り、原稿台１１ｂにセットされた原稿を読取る場合には、光源ユニット１５を原稿台１１ｂの面に平行に走査させるように構成されている。
【００５２】
ミラーユニット１７によって導かれた光は結像レンズ１８の作用によりＣＣＤラインセンサ１９に結像する。ＣＣＤラインセンサ１９は入力された光をその光量に応じたアナログ電気信号に変換して出力する。ＣＣＤラインセンサ１９から出力されたアナログ電気信号は、図に示していないＡＤ変換器によりデジタル信号に変換され、原稿読取時の光源の配光特性、ＣＣＤラインセンサ１９の感度ムラ等の補正が施された後、画像データとして生成される。生成された画像データは画像形成部２０の画像メモリ１０８へ出力される。
【００５３】
画像形成部２０は、感光体ドラム２３、感光体ドラム２３を帯電させる帯電器２５、帯電した感光体ドラム２３上に潜像を書き込むレーザ書込装置２１、感光体ドラム２３上の潜像を現像する現像器２２、感光体ドラム２３上に残留している現像材を除去して感光体ドラム２３を再生するクリーニングユニット２４等からなる電子写真方式のプロセス部を備えており、このプロセス部に用紙を搬送することによって画像形成を行う。
【００５４】
また、画像形成部２０は、プロセス部の下方（上流側）に用紙を収容するための給紙カセット３０を備えており、用紙搬送路Ｓ１の近傍に設けられたピックアップローラ３０ａによって収容された用紙を１枚ずつ分離給送する。給紙カセット３０から分離給送された用紙がプロセス部へ搬送された場合、その用紙はレジストローラ３１によって一旦保持される。レジストローラ３１は、図に示していないレジスト前検知スイッチの検知信号に基づいて、感光体ドラム２３上のトナー像の先端を、用紙の画像形成領域の先端に合わせるタイミングに制御して、感光体ドラム２３の回転に合わせてプロセス部へ搬送するようにしている。
【００５５】
更に、画像形成部２０の下側には給紙部５０が設置されており、複数種の用紙を収容するために給紙カセット５１，５２，５３が設けられている。給紙部５０では、前述と同様に、給紙カセット５１，５２，５３が夫々備えるピックアップローラ５１ａ，５２ａ，５３ａにより収容された用紙を１枚ずつ分離給送し、用紙搬送路Ｓ１を通じて画像形成部２０のプロセス部へ搬送する。
【００５６】
プロセス部にてトナー像が転写された用紙は、プロセス部の下流側に設置された定着ユニット２７へと搬送される。定着ユニット２７は、ヒートローラ及び加圧ローラを備えており、これら２つのローラによりトナー像が転写された用紙を挟んで回転させ、ヒートローラの熱によりトナー像を用紙上に加熱定着させる。
【００５７】
定着ユニット２７によりトナー像を加熱定着させた用紙は、本複合機１００が備える幾つかの排紙トレイの何れかに排出される。デフォルトの設定では、排紙すべき用紙が排紙トレイ３４に導かれるように搬送ローラ３２及び切替ゲート３３が制御され、排紙ローラ３４ａを通じてフェイスダウンの状態で排紙トレイ３４上に排出される。一方、利用者が排紙部４０に搭載されている排紙トレイ４１，４２，４３に排出することを指定した場合、切替ゲート３３を切替えて搬送ローラ３５により排紙部４０に用紙を導き、排紙トレイ４１，４２，４３の何れかに用紙を排出する。
【００５８】
また、フェイスアップの状態で用紙を排出する場合、又は用紙の両面に画像形成を行う場合には、搬送ローラ３２，３５により用紙を一旦把持した後、搬送ローラ３２，３５を逆方向に回転駆動させて搬送ローラ３６により両面原稿搬送路Ｓ２へ用紙を導く。フェイスアップの状態で排紙を行う場合には、排紙ローラ３７ａを通じて排紙トレイ３７へ排出する。また、用紙の両面に画像形成を行う場合には、両面原稿搬送路Ｓ２を介して再び画像形成部２０のレジストローラ３１へ導き、画像形成部２０のプロセス部において用紙の裏面側にトナー像の形成を行う。なお、両面原稿搬送路Ｓ２の下端側には手差トレイ３８が設置されており、給紙カセット３０，５１，５２，５３に収容されていない種類の用紙をピックアップローラ３８ａにより取り込めるようにしている。
【００５９】
本実施の形態では、出力する印刷物が機密性を有するものである場合、予め定めた頁の裏面に特定情報を付加するようにしている。図３は特定情報を付加した様子を示す模式図である。特定情報として付すべき画像、及びその画像形成位置に関する情報は、特定情報付与部１１４に記憶されており、印字部１１３は特定情報付与部１１４に記憶された情報に従って特定情報を付加するようにしている。図３に示した例では５頁分の画像のうち、１頁目の裏面の略中央に特定情報を付加した様子を示している。
【００６０】
なお、特定情報として付加する画像はどのようなものであっても良いが、その大きさ、色、濃度等があまり目立たないものであることが望ましい。また、特定情報は必ずしも画像である必要はなく、例えば、文字列、図形、又はそれらの組み合わせを用いる構成であっても良い。
【００６１】
出力する印刷物の機密性については、例えば、情報処理装置２００でプリントデータを作成する際に設定する。図４はプリンタドライバが生成するプリント設定画面の一例を示す模式図である。図４に示したプリント設定画面２１０では、画面の上部に設けられたタグを切り替えて各種の設定を行えるようにしている。メインの設定では出力部数、頁範囲等を設定を受付ける。用紙設定では出力に用いる用紙の種類の設定を受付ける。高度な設定では、頁レイアウト、用紙１枚あたりの画像の割付数等の設定を受付ける。ウォータマークの設定では、用紙に付加するウォータマークの種類の設定を受付ける。
【００６２】
ジョブ設定を受付ける画面には、図４に示したようにドキュメントファイリング機能を使用するか否かの設定を受付けるチェックボックス２１１、ドキュメントファイリング機能の使用条件を設定するファイリング設定欄２１２、ホールドプリント等の設定を受付けるリテンション設定欄２１３、機密文書の設定を受付ける機密文書設定欄２１４が設けられている。また、画面の下部に設けられた実行ボタン２１５が押下操作された場合、設定された条件にてプリントデータが作成され、作成されたプリントデータが複合機１００へ送信される。一方、キャンセルボタン２１６が押下操作された場合、プリントデータが作成されずプリント設定画面２１０を呼び出したアプリケーションへ処理を戻すように構成されている。
【００６３】
以下、本実施の形態に係る画像形成システムにて実行される処理の手順について説明する。図５及び図６は本実施の形態に係る画像形成システムにて実行される処理の手順を説明するフローチャートである。情報処理装置２００において任意のアプリケーションプログラムからプリンタドライバが起動され、送信しようとしているプリントデータが確定された場合（ステップＳ１１）、情報処理装置２００は前述したプリント設定画面２１０における設定内容を確認し、送信しようしとしているプリントデータが機密文書であるか否かを判断する（ステップＳ１２）。すなわち、プリント設定画面２１０の機密文書設定欄２１４に設けられたチェックボックスがチェックされた場合、送信しようとしているプリントデータが機密文書であると判断する。
【００６４】
送信しようとしているプリントデータが機密文書であると判断した場合（Ｓ１２：ＹＥＳ）、機密文書に係るフラグをオンにする（ステップＳ１３）。本実施の形態では、機密文書に係るフラグはプリントデータに含める情報の１つとして設定されており、機密文書に係るフラグがオンである場合、複合機１００はそのプリントデータを機密文書として出力し、機密文書に係るフラグがオフである場合、通常の文書として出力する。機密文書に係るフラグをオンにした場合、又はステップＳ１２において機密文書でないと判断した場合（Ｓ１２：ＮＯ）、プリント設定画面２１０の実行ボタン２１５が押下操作されたか否かを判断することにより、プリントデータの送信を開始すべきか否かを判断する（ステップＳ１４）。
【００６５】
プリントデータの送信を開始すべきでないと判断した場合（Ｓ１４：ＮＯ）、プリント設定画面２１０のキャンセルボタン２１６が押下操作されたか否かを判断することにより、プリントデータの送信をキャンセルすべきか否かを判断する（ステップＳ１５）。キャンセルすべきでないと判断した場合（Ｓ１５：ＮＯ）、処理をステップＳ１４へ戻し、キャンセルすべきであると判断した場合（Ｓ１５：ＹＥＳ）、キャンセル処理を実行する（ステップＳ１６）。キャンセル処理では、情報処理装置２００にて起動されたプリンタドライバを終了する処理、及びプリンタドライバを呼び出したアプリケーションプログラムへ処理を戻すことを行う。
【００６６】
ステップＳ１４においてプリントデータを送信すべきであると判断した場合（Ｓ１４：ＹＥＳ）、プリントデータを複合機１００へ送信する（ステップＳ１７）。
【００６７】
複合機１００が情報処理装置２００から送信されたプリントデータを受信した場合（ステップＳ１８）、複合機１００の制御部１０１は、受信したプリントデータを展開し（ステップＳ１９）、出力しようとしているプリントデータが機密文書であるか否かを判断する（ステップＳ２０）。機密文書であると判断した場合（Ｓ２０：ＹＥＳ）、給紙を開始し（ステップＳ２１）、供給された用紙の表面に前記プリントデータに基づく画像を形成して印字処理を実行する（ステップＳ２２）。
【００６８】
次いで、複合機１００の制御部１０１は、特定情報を付加する頁であるか否かを判断する（ステップＳ２３）。特定情報を付加する頁であると判断した場合（Ｓ２３：ＹＥＳ）、前記用紙の裏面に特定情報を付加する（ステップＳ２４）。具体的には、用紙を両面原稿搬送路Ｓ２へ導くことにより印字面を反転させ、ステップＳ２２において記録した面と異なる面（裏面）に、特定情報付与部１１４から読み出した画像データに基づいて印字処理を実行する。
【００６９】
用紙の裏面に特定情報を付加した場合、又はステップＳ２３において特定情報を付加する頁でないと判断した場合（Ｓ２３：ＮＯ）、継続頁があるか否かを判断する（ステップＳ２５）。継続頁があると判断した場合（Ｓ２５：ＹＥＳ）、処理をステップＳ２１へ戻し、継続頁がないと判断した場合（Ｓ２５：ＮＯ）、本ルーチンによる処理を終了する。
【００７０】
また、ステップＳ２０において機密文書でないと判断した場合（Ｓ２０：ＮＯ）、給紙を開始し（ステップＳ２６）、供給された用紙上に前記プリントデータに基づく印字処理を行う（ステップＳ２７）。このとき、プリントデータにより両面印字が指定されている場合には、用紙を両面原稿搬送路Ｓ２へ導き、再度印字部１１３へ搬送することにより両面印字を行う。次いで、複合機１００の制御部１０１は継続頁があるか否かを判断し（ステップＳ２８）、継続頁があると判断した場合（Ｓ２８：ＹＥＳ）、処理をステップＳ２６へ戻し、継続頁がないと判断した場合（Ｓ２８：ＮＯ）、本ルーチンによる処理を終了する。
【００７１】
なお、本フローチャートにおいては、プリント設定画面２１０の機密文書設定欄２１４により機密文書であることが指定された場合、印字する用紙の裏面に特定情報を付加する構成としたが、同じくプリント設定画面２１０のリテンション設定欄２１３により、「印刷せずにホールド」又は「印刷後ホールド」が設定されている場合にも同様に、印字する用紙の裏面に特定情報を付加する構成であっても良い。
【００７２】
また、本実施の形態では、特定情報を付加する記録面を１頁目の裏面としたが、他の箇所へ付加する構成であっても良い。図７は特定情報の記録箇所を説明する模式図である。図７（ａ）では２頁目の裏面に特定情報を記録している。この場合、２頁目に特定情報を付加している旨の情報を管理部１０２に記憶させておき、原稿読取部１０を通じて原稿の画像を読み取る際に前記情報に基づいて特定情報が付されているか否かの検出を行う。また、図７（ｂ）では１頁目及び２頁目の裏面に特定情報を記録している。この場合、１頁目及び２頁目に特定情報を付加している旨の情報を管理部１０２に記憶させておき、原稿読取部１０を通じて原稿の画像を読み取る際に前記情報に基づいて特定情報が付されているか否かの検出を行う。また、特定情報の付与領域を定めることもでき、図７（ｃ）に示したように付与領域の開始頁及び終了頁の裏面に特定情報を記録することもできる。この場合、開始頁及び終了頁に特定情報を付加している旨の情報を管理部１０２に記憶させておき、原稿読取部１０を通じて原稿の画像を読み取る際に前記情報に基づいて特定情報が付されているか否かの検出を行う。
【００７３】
また、複数種の特定情報を用いる構成であっても良い。例えば、第１の特定情報は、図７（ａ）に示したような付与の仕方で特定情報を用紙の裏面に記録させ、第２の特定情報は、図７（ｂ）に示したような付与の仕方で特定情報を用紙の裏面に記録させるようにしても良い。
【００７４】
以上のようにして印刷物に付与した特定情報は、印刷物を元にして複製物を作成する際に活用される。図８は特定情報が付与された印刷物の読取時の様子を示す模式図である。前述したように、原稿読取部１０のＡＤＦ１０４から順次供給される原稿の裏面をＣＩＳ１４によって読み取る。ＣＩＳ１４は図に示した如く原稿の幅方向に長いライン状のセンサであり、読取用の原稿がＣＩＳ１４の前面を通過する際に適宜のサンプリング周期でデータを取得することにより原稿全面の画像データを取得するように構成されている。
【００７５】
なお、本実施の形態では、原稿の表面及び裏面を同時的に読み取る構成としたが、必ずしも同時的に読み取る必要はなく、ＡＤＦ１０４に読取用の原稿を表裏反転させる機構を搭載し、原稿の表面を読み取った後に原稿の表裏を反転させ、原稿の裏面の画像を読み取る構成であっても良い。
【００７６】
図９は複合機１００により作成された印刷物に基づいて複製物を作成する際の処理手順を説明するフローチャートである。複合機１００の原稿トレイ１１ａに原稿が載置され、操作パネル１０３を通じて原稿の読取指示がなされた場合、制御部１０１は、ＡＤＦ１０４の呼込ローラ１３ａを駆動して原稿の給送を開始する（ステップＳ３１）。呼込ローラ１３ａによって１枚ずつ分離給送された原稿は、ＣＩＳ１４の対面位置を通過する際に、原稿裏面の画像がＣＩＳ１４によってその裏面に記録された画像が読み取られ、原稿表面に記録された画像がＣＣＤラインセンサ１９によって読み取られる（ステップＳ３２）。
【００７７】
ＣＩＳ１４及びＣＣＤラインセンサ１９が読取った画像は画像データとして出力され、画像メモリ１０８において保持される（ステップＳ３３）。そして、ＣＩＳ１４が読み取った画像に基づいて検出部１１２が特定情報の検出を行う（ステップＳ３４）。特定情報の検出は、例えば、パターンマッチングにより所定の画像が含まれているか、又は文字認識により所定の文字列が含まれているかを検出することによって行う。
【００７８】
そして、検出部１１２は特定情報が検出されたか否かを判断し（ステップＳ３５）、特定情報が検出されたと判断した場合（Ｓ３５：ＹＥＳ）、出力を許可し（ステップＳ３６）、ステップＳ３３において保持した画像データを印字部１１３に送出して印字処理を実行する（ステップＳ３７）。そして、制御部１０１は全原稿の出力が完了したか否かを判断する（ステップＳ３８）。全原稿の出力が完了していないと判断した場合（Ｓ３８：ＮＯ）、処理をステップＳ３７へ戻して印字処理を続行し、全原稿の出力が完了したと判断した場合（Ｓ３８：ＹＥＳ）、印字処理を終了する。
【００７９】
また、ステップＳ３５において、特定情報が検出されなかったと判断した場合（Ｓ３５：ＮＯ）、出力を不許可として（ステップＳ３９）、画像メモリ１０８に保持された画像データを消去することにより、読取った画像の無効化を実施する（ステップＳ４０）。
【００８０】
なお、図９に示したフローチャートでは特定情報が付与されている場合に出力を許可する構成としたが、特定情報が付与されている場合に利用者の認証を行い、利用者が認証された場合に出力を許可する構成であっても良い。
【００８１】
図１０は複合機１００により作成された印刷物に基づいて複製物を作成する際の他の処理手順を説明するフローチャートである。前述と同様にして、原稿の給送から特定情報を検出するまでの処理（ステップＳ４１〜Ｓ４４）を実行した後、特定情報が検出されたか否かを判断する（ステップＳ４５）。
【００８２】
特定情報が検出されたと判断した場合（Ｓ４５：ＹＥＳ）、認証要求を行う（ステップＳ４６）。本実施の形態では、機密文書として出力することをプリンタドライバにて指定する際にパスワードを入力を要求しているため、入力されたパスワードを用いて利用者の認証を行うことができる。具体的には、操作パネル１０３の表示部にパスワードの入力を促す表示を行い、利用者によって入力されたパスワードとプリントデータに付されているパスワードとを比較検証して認証を行うようにしている。
【００８３】
そして、利用者が認証されたか否かを判断し（ステップＳ４７）、利用者が認証されたと判断した場合（Ｓ４７：ＹＥＳ）、又はステップＳ４５において特定情報が検出されなかったと判断した場合（Ｓ４５：ＮＯ）、出力を許可し（ステップＳ４８）、ステップＳ４３において保持した画像データを印字部１１３に送出して印字処理を実行する（ステップＳ４９）。そして、制御部１０１は全原稿の出力が完了したか否かを判断する（ステップＳ５０）。全原稿の出力が完了していないと判断した場合（Ｓ５０：ＮＯ）、処理をステップＳ４９へ戻して印字処理を続行し、全原稿の出力が完了したと判断した場合（Ｓ５０：ＹＥＳ）、印字処理を終了する。
【００８４】
また、ステップＳ４７において、特定情報が検出されていないと判断した場合（Ｓ４７：ＮＯ）、出力を不許可として（ステップＳ５１）、画像メモリ１０８に保持された画像データを消去し、読取った画像の無効化を実施する（ステップＳ５２）。
【００８５】
実施の形態２．
実施の形態１では、利用者自身がプリンタドライバを通じて機密文書であることを指定した場合に複合機１００が特定情報を付与する構成としたが、受信したプリントデータが特定利用者から送信されたものであると判断される場合に特定情報を付与する構成であっても良い。なお、本実施の形態においても、画像形成システムの構成及び複合機１００の内部構成は実施の形態１と同様であるため、その説明を省略することとする。
【００８６】
図１１は本実施の形態に係る画像形成システムにて実行される処理の手順を説明するフローチャートである。複合機１００の制御部１０１は通信ＩＦ１０６を監視することにより、情報処理装置２００から送信されたプリントデータを受信したか否かを判断する（ステップＳ６１）。プリントデータを受信していないと判断した場合（Ｓ６１：ＮＯ）、プリントデータを受信するまで待機する。プリントデータを受信したと判断した場合（Ｓ６１：ＹＥＳ）、受信したプリントデータを展開し（ステップＳ６２）、展開して得られた画像データを画像メモリ１０８に保持する。
【００８７】
次いで、制御部１０１は、受信したプリントデータが特定利用者のプリントデータであるか否かを判断する（ステップＳ６３）。特定利用者のプリントデータであるか否かは、例えば、プリントデータの送信元の通信アドレス又はＭＡＣアドレスが、特定利用者の装置として管理部１０２に登録されているものに該当するか否かにより判断することができる。
【００８８】
特定利用者のプリントデータであると判断した場合（Ｓ６３：ＹＥＳ）、給紙を開始し（ステップＳ６４）、画像メモリ１０８に保持された画像データを印字部１１３へ転送する。そして、用紙の表面に前記画像データに基づく画像を形成して印字処理を実行する（ステップＳ６５）。次いで、複合機１００の制御部１０１は、特定情報を付加する頁であるか否かを判断する（ステップＳ６６）。特定情報を付加する頁であると判断した場合（Ｓ６６：ＹＥＳ）、前記用紙の裏面に特定情報を付加する（ステップＳ６７）。
【００８９】
用紙の裏面に特定情報を付加した場合、又はステップＳ６６において特定情報を付加する頁でないと判断した場合（Ｓ６６：ＮＯ）、継続頁があるか否かを判断する（ステップＳ６８）。継続頁があると判断した場合（Ｓ６８：ＹＥＳ）、処理をステップＳ６４へ戻し、継続頁がないと判断した場合（Ｓ６８：ＮＯ）、本ルーチンによる処理を終了する。
【００９０】
ステップＳ６３において特定利用者のプリントデータでないと判断した場合（Ｓ６３：ＮＯ）、給紙を開始し（ステップＳ６９）、供給された用紙上に前記プリントデータに基づく印字処理を行う（ステップＳ７０）。次いで、複合機１００の制御部１０１は継続頁があるか否かを判断し（ステップＳ７１）、継続頁があると判断した場合（Ｓ７１：ＹＥＳ）、処理をステップＳ６９へ戻し、継続頁がないと判断した場合（Ｓ７１：ＮＯ）、本ルーチンによる処理を終了する。
【００９１】
実施の形態３．
実施の形態２では、受信したプリントデータが特定利用者から送信されたものであると判断される場合に用紙の裏面に特定情報を付与する構成としたが、受信したプリントデータから展開される画像に特定の画像が含まれている場合に特定情報を付与する構成であっても良い。
【００９２】
図１２は本実施の形態に係る画像形成システムにて実行される処理の手順を説明するフローチャートである。複合機１００の制御部１０１は通信ＩＦ１０６を監視することにより、情報処理装置２００から送信されたプリントデータを受信したか否かを判断する（ステップＳ８１）。プリントデータを受信していないと判断した場合（Ｓ８１：ＮＯ）、プリントデータを受信するまで待機する。プリントデータを受信したと判断した場合（Ｓ８１：ＹＥＳ）、受信したプリントデータを展開し（ステップＳ８２）、展開して得られた画像データを画像メモリ１０８に保持する。
【００９３】
次いで、制御部１０１は、展開して得られた画像データに基づいて特定の画像が含まれているか否かを判断する（ステップＳ８３）。例えば、パターンマッチングの手法を用いて、出力しようとしている画像に「コピー厳禁」、「社外秘」等のウォータマークが含まれているか否かを判断する。
【００９４】
特定の画像が含まれていると判断した場合（Ｓ８３：ＹＥＳ）、給紙を開始し（ステップＳ８４）、画像メモリ１０８に保持された画像データを印字部１１３へ転送する。そして、用紙の表面に前記画像データに基づく画像を形成して印字処理を実行する（ステップＳ８５）。次いで、複合機１００の制御部１０１は、特定情報を付加する頁であるか否かを判断する（ステップＳ８６）。特定情報を付加する頁であると判断した場合（Ｓ８６：ＹＥＳ）、前記用紙の裏面に特定情報を付加する（ステップＳ８７）。
【００９５】
用紙の裏面に特定情報を付加した場合、又はステップＳ８６において特定情報を付加する頁でないと判断した場合（Ｓ８６：ＮＯ）、継続頁があるか否かを判断する（ステップＳ８８）。継続頁があると判断した場合（Ｓ８８：ＹＥＳ）、処理をステップＳ８４へ戻し、継続頁がないと判断した場合（Ｓ８８：ＮＯ）、本ルーチンによる処理を終了する。
【００９６】
ステップＳ８３において特定の画像が含まれていないと判断した場合（Ｓ８３：ＮＯ）、給紙を開始し（ステップＳ８９）、供給された用紙上に前記プリントデータに基づく印字処理を行う（ステップＳ９０）。次いで、複合機１００の制御部１０１は継続頁があるか否かを判断し（ステップＳ９１）、継続頁があると判断した場合（Ｓ９１：ＹＥＳ）、処理をステップＳ８９へ戻し、継続頁がないと判断した場合（Ｓ９１：ＮＯ）、本ルーチンによる処理を終了する。
【図面の簡単な説明】
【００９７】
【図１】本実施の形態に係る画像形成システムの構成を説明するブロック図である。
【図２】複合機の内部構成を示す断面図である。
【図３】特定情報を付加した様子を示す模式図である。
【図４】プリンタドライバが生成するプリント設定画面の一例を示す模式図である。
【図５】本実施の形態に係る画像形成システムにて実行される処理の手順を説明するフローチャートである。
【図６】本実施の形態に係る画像形成システムにて実行される処理の手順を説明するフローチャートである。
【図７】特定情報の記録箇所を説明する模式図である。
【図８】特定情報が付与された印刷物の読取時の様子を示す模式図である。
【図９】複合機により作成された印刷物に基づいて複製物を作成する際の処理手順を説明するフローチャートである。
【図１０】複合機により作成された印刷物に基づいて複製物を作成する際の他の処理手順を説明するフローチャートである。
【図１１】本実施の形態に係る画像形成システムにて実行される処理の手順を説明するフローチャートである。
【図１２】本実施の形態に係る画像形成システムにて実行される処理の手順を説明するフローチャートである。
【符号の説明】
【００９８】
１００  複合機
１０１  制御部
１０２  管理部
１０３  操作パネル
１０４  ＡＤＦ
１０５  光学式読取ユニット
１０６  通信ＩＦ
１０７  ファクシミリモデム
１０８  画像メモリ
１０９  暗号・復号部
１１０  ＨＤＤインタフェース
１１１  ＨＤＤ
１１２  検出部
１１３  印字部
１１４  特定情報付与部
２００，３００  情報処理装置
４００  ファクシミリ装置
ＬＮ  ローカルエリアネットワーク
ＩＮ  インターネット網
ＰＮ  公衆電話回線網  
【図１】
2006025254.tif 000003
【図２】
2006025254.tif 000004
【図３】
2006025254.tif 000005
【図４】
2006025254.tif 000006
【図５】
2006025254.tif 000007
【図６】
2006025254.tif 000008
【図７】
2006025254.tif 000009
【図８】
2006025254.tif 000010
【図９】
2006025254.tif 000011
【図１０】
2006025254.tif 000012
【図１１】
2006025254.tif 000013
【図１２】
2006025254.tif 000014